(57)【要約】【課題】バルブ装置からの取り外しがガス消費者などにとっては容易でないが、修理技術者などにあっては容易に且つ安全に実施でき、しかも製造時のタクトタイムの短縮を図ることができ、流量設定器単体の機能検査を容易に実施できるようにする。【解決手段】第１ハウジング(18)と第２ハウジング(19)との間に、複数のオリフィス(29)を備えたオリフィス板(28)を配置する。第１ハウジング(18)内に設けた第１ガス流路(23)と、第２ハウジング(19)内に設けた第２ガス流路(24)とを、オリフィス(29)の１つを介して連通させる。ハウジング(17)をバルブ装置(２)へ連結する連結手段(３)を付設し、この連結手段(３)の連結操作部(3a)を操作不能にカバー部材(37)で覆う。このカバー部材(37)を、第１ハウジング(18)と第２ハウジング(19)との連結固定を緩めることなく、ハウジング(17)から離脱できるようにする。【選択図】  図１
2005147174.tif 000002
【特許請求の範囲】
【請求項１】
ハウジング(17)は、互いに連結固定された第１ハウジング(18)と第２ハウジング(19)とを備え、
上記の第１ハウジング(18)と第２ハウジング(19)との間に、複数のオリフィス(29)を備えたオリフィス板(28)を配置し、
上記のハウジング(17)内に第１ガス流路(23)と第２ガス流路(24)とを形成して、この第１ガス流路(23)と第２ガス流路(24)とを上記のオリフィス(29)の１つを介して互いに連通可能に構成し、
上記のハウジング(17)をバルブ装置(２)へ連結する連結手段(３)を備えたバルブ装置用流量設定器であって、
上記のハウジング(17)に、上記の連結手段(３)の少なくとも連結操作部(3a)を操作不能に覆うカバー部材(37)を付設し、
このカバー部材(37)を、上記の第１ハウジング(18)と第２ハウジング(19)との連結固定を緩めることなく、上記の連結操作部(3a)を操作可能に露出させる露出姿勢(Ｙ)へ切替可能に構成したことを特徴とする、バルブ装置用流量設定器。
【請求項２】
上記のハウジング(17)に、上記のオリフィス(29)を切替操作する切替ハンドル(30)を付設し、
この切替ハンドル(30)に工具挿通部(33)を形成し、
上記の切替ハンドル(30)で、ガスが流通するオリフィス(29)を前記の両ガス流路(23・24)間に切替操作した状態でのみ、上記の工具挿通部(33)に挿通した着脱用工具(38)で前記の連結操作部(3a)を操作可能に構成した、請求項１に記載のバルブ装置用流量設定器。
【請求項３】
上記のカバー部材(37)を、上記のオリフィス(29)を切替操作する切替ハンドル(30)と、この切替ハンドル(30)で設定された流量を表示する設定流量表示手段(34)と、この設定流量表示手段(34)を覆う透明カバー(35)とのうちの、少なくともいずれかで構成した、請求項１または請求項２に記載のバルブ装置用流量設定器。
【請求項４】
上記の第１ハウジング(18)に蓋部材(25)を固定して、この蓋部材(25)にバルブ装置(２)の出口路(11)と連通する連通孔(26)を透設し、
上記の第１ハウジング(18)と蓋部材(25)との間に減圧弁(27)を形成して、この減圧弁(27)を介して上記の連通孔(26)を上記の第１ガス流路(23)に連通した、請求項１から３のいずれか１項に記載のバルブ装置用流量設定器。
【発明の詳細な説明】
【技術分野】
【０００１】
本発明は、酸素ガスなどの流体を所望の流量に切り換えて供給するバルブ装置用流量設定器に関し、バルブ装置からの取り外しがガス消費者などにとっては容易でないが、修理技術者などにあっては容易に且つ安全に実施でき、しかも製造時のタクトタイムの短縮を図ることができ、流量設定器単体の機能検査を容易に実施できる、バルブ装置用流量設定器に関する。
【背景技術】
【０００２】
一般に在宅酸素療法にあっては、酸素用ガス容器に付設したバルブ装置のガス取出路に流量設定器を取付け、酸素ガスを所望の流量で供給するように構成してある。
従来、上記のバルブ装置用流量設定器としては、バルブ装置の取り出しノズルへ袋ナットなどの接続部を螺着するものや、ヨークガットを用いてバルブ装置に取付けるものがあった(特許文献１または２を参照。以下、従来技術１という。)。
【０００３】
これらの従来技術１では、上記の接続部やヨークガットの締結具を単に締緩するだけで流量設定器を着脱できるため、専門技術を有しない一般のガス消費者等が、流量設定器をバルブ装置から容易に離脱させる惧れがある。
また、上記の流量設定器は、通常、ガス流量が無い設定位置(以下、零設定位置という)を備えており、この零設定位置ではバルブ装置の閉止弁は開弁状態であっても、流量設定器からのガスの流出がない。このため、流量設定器からのガスの流出が停止された状態であっても、この流量設定器をバルブ装置から取り外す際に、ガス容器に貯蔵ガスが残留していると、バルブ装置と流量設定器との間からガスが噴出する場合がある。特に、流量設定器に減圧弁を設けている場合は、ガス流路のうち、減圧前の高圧部でバルブ装置と流量設定器とを分離するため、高圧のガスが噴出する問題がある。
【０００４】
一方、流量設定器をバルブ装置から容易に着脱できない構造としたものに、例えば本発明者が先に提案した特許文献３に記載のものがある(以下、従来技術２という)。
即ちこの流量設定器は、第１ハウジングと第２ハウジングとを互いに連結固定してハウジングを形成し、この第１ハウジングを取付ボルトでバルブ装置に連結固定してある。そして、上記の第１ハウジングと第２ハウジングとの間に、複数のオリフィスを備えたオリフィス板を配置するとともに、このオリフィス板に連係した切替ハンドルも第１ハウジングと第２ハウジングとの間に配置し、この切替ハンドルで上記の取付ボルトのボルト頭を覆ってある。上記のハウジング内には第１ガス流路と第２ガス流路とを形成してあり、この第１ガス流路と第２ガス流路とを上記のオリフィスの１つを介して互いに連通可能に構成し、上記の切替ハンドルを操作することで、上記のオリフィス板を回転させて上記の両ガス流路間のオリフィスを切換えるように構成してある。
【０００５】
上記の従来技術２では、上記の取付ボルトのボルト頭が切替ハンドルで覆われているため、上記の第１ハウジングと第２ハウジングとを分離してこの切替ハンドルを取り外さない限り、その取付ボルトを緩めることができないので、ガス消費者などが流量設定器をバルブ装置から取り外す惧れがない。
【０００６】
しかしながら、この従来技術２では、上記の取付ボルトを締緩操作するため切替ハンドルを取り外す際に、第１ハウジングと第２ハウジングとを分離すると、流量設定器の機能部であるオリフィスやガス流路のシール部などが分解されることとなる。この結果、バルブ装置から一旦取り外した流量設定器は、バルブ装置に装着しながら再び組立てたとしても流量設定の性能や機密性能が保証されないので、結局、販売店などの修理技術者ではこの流量設定器を組み付けることができない。
また、バルブ装置の閉止弁が開弁されている場合には、第１ハウジングと第２ハウジングとの連結を緩めると、バルブ装置と流量設定器との間からガスが不用意に噴出する惧れもある。
さらにこの従来技術２では、バルブ装置に流量設定器の各部品が順次組み込まれるため、予め流量設定器のみをバルブ装置から独立して組み立てることができず、製造時のタクトタイムの短縮や流量設定器単体の機能検査が容易でない問題もある。
【０００７】
【特許文献１】特開平０１−１６８３３０号公報
【特許文献２】米国特許第４６５５２４６号明細書
【特許文献３】特開２００３−１３０２９７号公報
【発明の開示】
【発明が解決しようとする課題】
【０００８】
本発明は上記の問題点を解消し、バルブ装置からの取り外しがガス消費者などにとっては容易でないが、修理技術者などにあっては容易に且つ安全に実施でき、しかも製造時のタクトタイムの短縮を図ることができ、流量設定器単体の機能検査を容易に実施できる、バルブ装置用流量設定器を提供することを技術的課題とする。
【課題を解決するための手段】
【０００９】
本発明は上記の課題を解決するため、例えば本発明の実施の形態を示す図１から図３に基づいて説明すると、次のように構成したものである。
即ち、本発明はバルブ装置用流量設定器に関し、ハウジング(17)は、互いに連結固定された第１ハウジング(18)と第２ハウジング(19)とを備え、上記の第１ハウジング(18)と第２ハウジング(19)との間に、複数のオリフィス(29)を備えたオリフィス板(28)を配置し、上記のハウジング(17)内に第１ガス流路(23)と第２ガス流路(24)とを形成して、この第１ガス流路(23)と第２ガス流路(24)とを上記のオリフィス(29)の１つを介して互いに連通可能に構成し、上記のハウジング(17)をバルブ装置(２)へ連結する連結手段(３)を備えたバルブ装置用流量設定器であって、上記のハウジング(17)に、上記の連結手段(３)の少なくとも連結操作部(3a)を操作不能に覆うカバー部材(37)を付設し、このカバー部材(37)を、上記の第１ハウジング(18)と第２ハウジング(19)との連結固定を緩めることなく、上記の連結操作部(3a)を操作可能に露出させる露出姿勢(Ｙ)へ切替可能に構成したことを特徴とする。
【００１０】
バルブ装置に装着されている流量設定器は、通常の使用状態においては、連結手段の連結操作部がカバー部材で覆われており、締緩などの操作をすることができない。そしてこのカバー部材を露出姿勢に切り替えたのち、上記の連結操作部を操作することで、流量設定器がバルブ装置から取り外される。
このとき、上記のカバー部材は第１ハウジングと第２ハウジングとの連結固定を緩めることなく、露出姿勢に切り替えられるので、流量設定器の主要機能部である流量設定用オリフィスやガス流路の各封止部は、バルブ装置に対する流量設定器の着脱にかかわらず、同じ流量設定性能や気密性能が維持される。
【００１１】
ここで、上記の連結手段は流量設定器をバルブ装置に着脱できるものであればよく、ボルトやナットなどを用いることができ、特定の形状や構造に限定されない。
上記のカバー部材は、連結操作部を操作不能に覆う姿勢では、例えば工具を挿入できない範囲で、連結操作部の一部または全部を露出していてもよい。また、このカバー部材の上記の露出姿勢は、このカバー部材をハウジングに付設したまま別の位置に移動させた状態であってもよく、ハウジングから取り外した状態であってもよい。
なお、上記のカバー部材や連結操作部は、姿勢切替や着脱操作等の際に専用工具を必要とする形状や構造にすると、その専用工具を有しないガス消費者などは着脱操作することができず、より好ましい。
【００１２】
上記の流量設定器は、上記のハウジングに、上記のオリフィスを切替操作する切替ハンドルを付設し、この切替ハンドルに工具挿通部を形成し、上記の切替ハンドルでオリフィス板を零設定位置以外の位置へ切替操作した状態、即ち、両ガス流路間のオリフィスをガスが流通するオリフィスに切替操作した状態でのみ、上記の工具挿通部に挿通した工具で前記の連結操作部を操作可能に構成することができる。この場合には、ガス容器に貯蔵ガスが残っておりバルブ装置の閉止弁が開弁していると、このバルブ装置から流量設定器を取り外す前に、流量設定器から貯蔵ガスが流出する。従ってこのようなガスの流出があると、流量設定器がバルブ装置から取り外される前に予め上記の閉止弁を閉じられるので、取り外し作業中にバルブ装置と流量設定器との接続部分から不用意にガスを噴出する惧れがなく、安全に離脱操作を実施することができる。
【００１３】
上記のカバー部材は、上記のオリフィスを切替操作する切替ハンドルや、この切替ハンドルで設定された流量を表示する設定流量表示手段、或いはこの設定流量表示手段を覆う透明カバーなど、通常の流量設定器に備えられた部材で構成すると、連結操作部を覆うための部材を新たに必要としないので、より好ましい。
なお、切替ハンドルは、切替操作時のクリック感を発生させるためにハウジングとの間にラッチ機構を備えている場合があり、この場合は、他の部材と連結していない設定流量表示手段やこれを覆う透明カバーを用いると、流量調整機能に影響することなく着脱操作できるので、より好ましい。
【００１４】
なお、上記の切替ハンドルで上記のカバー部材を構成し、この切替ハンドルを露出姿勢に切り替えたのち、上記の連結操作部を操作して流量設定器をバルブ装置から離脱させる場合は、この切替ハンドルで、両ガス流路間のオリフィスをガスが流通するオリフィスに切替操作した状態でのみ、この切替ハンドルをハウジングから取り外せるように構成すると、取り外し作業中にバルブ装置と流量設定器との接続部分からの不用意なガスの噴出を防止できるので、より好ましい。
【００１５】
上記の第１ハウジングに蓋部材を固定して、この蓋部材にバルブ装置の出口路と連通する連通孔を透設し、上記の第１ハウジングと蓋部材との間に減圧弁を形成して、この減圧弁を介して上記の連通孔を上記の第１ガス流路に連通した場合には、減圧弁をコンパクトに設けることができるうえ、バルブ装置から取り外した際に減圧弁が流量設定器から分離することがなく、この減圧弁の機能検査についてもバルブ装置から切り離して実施することができて好ましい。
【発明の効果】
【００１６】
本発明は上記のように構成され作用することから、次の効果を奏する。
【００１７】
連結手段の連結操作部がカバー部材で覆われているので、着脱操作手順を知らないガス消費者などにとっては、バルブ装置からの取り外しが容易でない。しかも、カバー部材をハウジングから取り外すなど、露出姿勢に切り替えるだけで流量設定器を着脱できるので、着脱操作が簡単であり、着脱操作手順を知っている修理技術者などにあっては容易にバルブ装置からの取り外しやバルブ装置への装着を実施することができる。
【００１８】
主要機能部である流量設定用オリフィスやガス流路の各封止部は、バルブ装置に対する着脱にかかわらず、同じ流量設定性能や気密性能を維持できるので、予め流量設定器のみをバルブ装置から独立して組み立てることができ、製造時のタクトタイムの短縮を図ることができるうえ、流量設定器単体の機能検査を容易に実施することができる。
【００１９】
上記のハウジングに、上記のオリフィスを切替操作する切替ハンドルを付設し、この切替ハンドルに工具挿通部を形成し、上記の切替ハンドルで、ガスが流通するオリフィスを前記の両ガス流路間に切替操作した状態でのみ、上記の工具挿通部に挿通した着脱用工具で前記の連結操作部を操作可能に構成した場合には、バルブ装置から流量設定器を取り外す前にガスの流出状況を確認してバルブ装置の閉止弁を閉じることができるので、バルブ装置と流量設定器との接続部分から不用意にガスが噴出することを防止でき、上記の取り外し操作を安全に実施することができる。
【発明を実施するための最良の形態】
【００２０】
以下、本発明の実施の形態を図面に基づき説明する。
図１から図３は本発明の流量設定器の実施形態を示し、図１はガス容器用バルブ装置に連結固定した流量設定器の断面図、図２はバルブ装置から取り外す際の工具挿通部近傍の拡大断面図、図３はバルブ装置に流量設定器を組み付ける手順の説明図である。
【００２１】
図１に示すように、この流量設定器(１)は、ガス容器用バルブ装置(２)の上面に、連結手段である複数の取付ボルト(３)で固定してある。
上記のバルブ装置(２)は脚ネジ部(４)がガス容器(５)の首部(６)に連結固定され、バルブハウジング(７)にガス入口(８)と入口路(９)と閉止弁(10)と出口路(11)と連結出口(12)とが順に形成してある。また、上記のバルブハウジング(７)の外面にはガス充填口(13)が設けてある。そして、このガス充填口(13)と上記の閉止弁(10)の弁室との間に充填路(14)が形成してあり、この充填路(14)に、閉止弁(10)からガス充填口(13)へのガスの流出を防止する逆止弁(15)が設けてある。
【００２２】
上記の流量設定器(１)のハウジング(17)は、第１ハウジング(18)と第２ハウジング(19)とからなり、固定ボルト(20)で互いに固定してある。この第２ハウジング(19)の外面にはガス取出しノズル(21)が付設してあり、このガス取出しノズル(21)の先端にガス出口(22)が形成してある。
上記の第１ハウジング(18)内には第１ガス流路(23)が、第２ハウジング(19)内には第２ガス流路(24)が、それぞれ設けてあり、この第２ガス流路(24)は上記のガス出口(22)に連通してある。
【００２３】
上記の第１ハウジング(18)には蓋部材(25)を螺着固定してあり、この蓋部材(25)に連通孔(26)を透設してある。この連通孔(26)には上記のバルブ装置(２)の連結出口(12)が挿入され、これによりこの連通孔(26)をバルブ装置(２)の出口路(11)に連通してある。
上記の蓋部材(25)と上記の第１ハウジング(18)との間には減圧弁(27)を形成してあり、この減圧弁(27)を介して上記の連通孔(26)を上記の第１ガス流路(23)に連通してある。
なお、この実施形態では上記の減圧弁(27)を上記の第１ハウジング(18)と蓋部材(25)との間に設けたが、本発明ではこの減圧弁(27)をバルブ装置(２)の出口路(11)に設けてもよい。
【００２４】
上記の第１ハウジング(18)と第２ハウジング(19)との間には、ドーナツ盤状のオリフィス板(28)が回転切替可能に配置してあり、このオリフィス板(28)に複数のオリフィス(29)を形成してある。上記の第１ガス流路(23)と第２ガス流路(24)との間には上記のオリフィス(29)の１つが位置することができ、このオリフィス(29)を介して両ガス通路(23・24)が互いに連通される。
上記のオリフィス板(28)には、流量設定器(１)のハウジング(17)に外嵌した筒状の切替ハンドル(30)が連係してあり、この切替ハンドル(30)を操作することにより上記のオリフィス板(28)を回転移動させて、上記の両ガス流路(23・24)間に位置するオリフィス(29)を切換えるように構成してある。
【００２５】
上記のガス容器(５)内の貯蔵ガスは、上記の閉止弁(10)をこれに連係したバルブハンドル(16)で開き操作することにより、ガス入口(８)と入口路(９)と閉止弁(10)と出口路(11)と連結出口(12)とを順に経て、流量設定器(１)の連通孔(26)に流入し、上記の減圧弁(27)の作動により所定のガス圧力に低下されたのち、第１ガス流路(23)に案内される。そして上記のオリフィス(29)を通過してこのオリフィス(29)の開口面積に応じた所定の流量に調整され、第２ガス通路(24)を経てガス出口(22)から取り出される。
なお、ガスの取出しが進んでガス容器(５)が空になると、図示していない充填装置が上記のガス充填口(13)に接続され、上記の閉止弁(10)を開くことにより、フレッシュガスが充填路(14)から閉止弁(10)と入口路(９)を順に経てガス容器(５)内に充填される。
【００２６】
上記の第１ハウジング(18)の下部にはフランジ部(31)が形成してあり、このフランジ部(31)の周縁に、前記の取付ボルト(３)が付設してある。このフランジ部(31)は上記の取付ボルト(３)を付設できればよく、底面視で円形であってもよいが、例えば底面視で正方形に形成してその四隅にそれぞれ取付ボルト(３)を付設してもよい。
一方、前記のバルブハウジング(７)の上面には、上記の取付ボルト(３)と対向する位置にそれぞれボルト穴(32)が形成してある。このボルト穴(32)に上記の取付ボルト(３)を螺合して締結することで、上記の流量設定器(１)がバルブ装置(２)に確りと固定される。
【００２７】
上記の切替ハンドル(30)には、上記の取付ボルト(３)を締緩操作するための工具が挿通できるように、工具挿通部(33)を透設してある。この工具挿通部(33)は、上記の切替ハンドル(30)で前記の両ガス流路(23・24)間にガスが流通するオリフィス(29)を切替操作した特定位置の状態でのみ、前記の取付ボルト(３)の連結操作部であるボルト頭(3a)の上面と対面できる位置に、形成してある。従って、上記の切替ハンドル(30)をこの特定位置に切り替えた場合には、工具挿通部(33)から挿入した工具で上記の取付ボルト(３)を締緩操作することができるが、切替ハンドル(30)を、例えばガス流量の無い零設定位置など、他の位置に切換えた場合には、上記の工具挿通部(33)は取付ボルト(３)のボルト頭(3a)の上面と対面せず、従って、この工具挿通部(33)から挿入した工具で上記の取付ボルト(３)を締緩操作することができない。
【００２８】
上記の切替ハンドル(30)の上面には、この切替ハンドル(30)で設定された流量を表示する設定流量表示手段(34)の下端部が嵌合固定してある。そしてこの設定流量表示手段(34)の上方で、この設定流量表示手段(34)を覆う透明カバー(35)が前記の第２ハウジング(19)に外嵌してあり、止め輪(36)で固定してある。これらの設定流量表示手段(34)と透明カバー(35)は、上記の取付ボルト(３)のボルト頭(3a)の上面を覆うカバー部材(37)を構成しており、図２に示すように、これらのカバー部材(37)がハウジング(17)に装着されたカバー姿勢(Ｘ)にあると、上記の切替ハンドル(30)を上記の特定位置に切り替えても、上記の着脱用工具で上記の取付ボルト(３)を締緩操作できないように構成してある。
【００２９】
上記の設定流量表示手段(34)と透明カバー(35)とからなるカバー部材(37)は、上記の止め輪(36)を取り外すだけで、上記の第１ハウジング(18)と第２ハウジング(19)との連結固定を緩めることなく、上記のハウジング(17)から離脱させた露出姿勢へ簡単に切り替えることができる。そして、このカバー部材(37)をハウジング(17)から離脱させた状態では、上記の切替ハンドル(30)を上記の特定位置に切り替えると、上記の取付ボルト(３)のボルト頭(3a)の上面が上記の工具挿通部(33)を介して露出するので、上記の着脱用工具でこの取付ボルト(３)を締緩操作することが可能となる。
【００３０】
上記の流量設定器は、メンテナンス時や万一故障を生じた場合などに、次の手順でバルブ装置から取り外すことができる。
最初に、上記の止め輪(36)がハウジング(17)から外されて、上記の透明カバー(35)がハウジング(17)から離脱されたのち、設定流量表示手段(34)が切替ハンドル(30)から離脱される。
【００３１】
次に、上記の切替ハンドル(30)が、前記の工具挿通部(33)が取付ボルト(３)の上方に位置する状態に切り替えられる。このとき、前記の両ガス流路(23・24)間はガスを流通するオリフィス(29)に切り替わるので、ガス容器(５)に貯蔵ガスが残存し且つ閉止弁(10)が開き姿勢にあると、上記の貯蔵ガスは上記のオリフィス(29)を介して前記のガス出口(22)から流出する。このガス出口(22)からのガスの流出があると、前記のバルブ装置(２)のバルブハンドル(16)を操作して閉止弁(10)を閉じて、ガス出口(22)からのガスの流出を停止する。
なお、上記のガス出口(22)から流出するガスは、前記の減圧弁(27)で減圧され、上記のオリフィス(29)で設定された流量となっているので、作業者にとり問題を生じるようなガス流出とはならない。
【００３２】
上記のガス出口(22)からのガス流出が無いことを確認したのち、図２に示すように、上記の工具挿通部(33)から所定の着脱用工具(38)を挿入し、ボルト頭(3a)を操作して取付ボルト(３)を緩め、バルブ装置(２)から流量設定器(１)を取り外す。
このとき、上記のバルブ装置(２)の閉止弁(10)は閉じられているので、流量設定器(１)の離脱の際にバルブ装置(２)との間から大量のガスを噴出する惧れがなく、安全に流量設定器(１)をバルブ装置(２)から取り外すことができる。
なお、この実施形態では、着脱用工具(38)としてＬレンチを用い、工具挿通部(33)とボルト頭(3a)との位置関係からこの工具(38)をやや傾斜させて用いているが、本発明で用いる着脱用工具は、連結手段を操作できるものであればよく、その種類や姿勢がこの実施形態のものに限定されるものではない。
【００３３】
上記のバルブ装置(２)から取り外した流量設定器(１)は、止め輪(36)とカバー部材(37)である設定流量表示手段(34)及び透明カバー(35)のみがハウジング(17)から取り外され、第１ハウジング(18)と第２ハウジング(19)は互いに分離されることなく固定されており、減圧弁(27)を構成する蓋部材(25)も第１ハウジング(18)に固定されている。従って、ハウジング(17)内に形成されるガス流路(23・24)の各シール部分での機密性能や、オリフィス(29)の流量設定機能はもとより、減圧弁(27)の減圧機能も、バルブ装置(２)から流量設定器(１)を離脱する前の各性能が確保されている。このため、このバルブ装置(２)から取り外した流量設定器(１)は、単体で流量設定などの機能検査を実施することができる。
【００３４】
修理・点検などのメンテナンスが終了した流量設定器や、新しい流量設定器は、次の手順でバルブ装置に装着される。
図３に示すように、予め流量設定器(１)のハウジング(17)から、止め輪(36)を外し、カバー部材(37)である設定流量表示手段(34)と透明カバー(35)とをハウジング(17)から取り外した露出姿勢(Ｙ)に切り替えておく。なお、バルブ装置(２)は、連結出口(12)からガスが流出しないように、前記の閉止弁を閉じておく。
【００３５】
次に、切替ハンドル(30)を所定の位置に切り替えて、ハウジング(17)に付設された取付ボルト(３)の上方に工具挿通部(33)を位置させる。そしてこの工具挿通部(33)から前記の着脱用工具を挿通し、この工具で操作して取付ボルト(３)を、バルブハウジング(７)の上面に形成したボルト穴(32)に螺合させ、締結する。このとき、バルブ装置(２)の連結出口(12)は流量設定器(１)の連通孔(26)に気密状に挿入され、バルブ装置(２)の出口路(11)に連通される。
【００３６】
次いで、上記の設定流量表示手段(34)を切替ハンドル(30)の上面に嵌合固定したのち、透明カバー(35)をハウジング(17)に外嵌し、止め輪(36)を装着して透明カバー(35)を固定する。流量設定器(１)の装着操作は以上で終了するが、この状態では、上記のオリフィス(29)がガスを流通する状態にあるので、必要に応じて上記の切替ハンドル(30)を零流量設定位置等へ切り替えたり、バルブ装置(２)の閉止弁を開くなどされる。
【００３７】
本発明の流量設定器の各部の形状や構造は、上記の実施形態のほか、例えば、次のような変形例が考えられる。
・連結手段をナット部材で構成する。この場合は、工具がセットされるナット部材の外周面で連結操作部が構成される。
・カバー部材をハウジングから取り外すことなく、露出姿勢に切替移動させる。
・切替ハンドルをハウジングから着脱可能に構成し、この切替ハンドルでカバー部材を構成する。
・工具挿通部を、切替ハンドルの端縁に形成した凹部で構成する。
・切替ハンドルを円板状等に形成してハウジングの一側面に設ける。
・ハウジングに挿入した軸部へオリフィス板の中央部分を係合し、この軸部を回転させることでオリフィス板を切替移動させる。
・ガス取出しノズルを第１ハウジング側またはバルブ装置側に設ける。
但し、本発明の流量設定器はこれらの構成に限定されるものではなく、また、これを付設するバルブ装置も上記の実施形態のものに限定されないことはいうまでもない。
【産業上の利用可能性】
【００３８】
本発明の流量設定器は、バルブ装置からの取り外しがガス消費者などにとっては容易でないが、修理技術者などにあっては容易に且つ安全に実施できるので、在宅酸素療法に用いる酸素用ガス容器のバルブ装置に付設される流量設定器に好適に用いられるほか、各種ガス機器の流量設定器に用いることができる。
【図面の簡単な説明】
【００３９】
【図１】本発明の実施形態を示す、ガス容器用バルブ装置に連結固定した流量設定器の断面図である。
【図２】バルブ装置から取り外す際の、工具挿通部近傍の拡大断面図である。
【図３】バルブ装置に流量設定器を組み付ける手順の説明図である。
【符号の説明】
【００４０】
１…流量設定器
３…連結手段(取付ボルト)
3a…連結操作部(ボルト頭)
11…バルブ装置の出口路
17…流量設定器(１)のハウジング
18…第１ハウジング
19…第２ハウジング
23…第１ガス流路
24…第２ガス流路
25…蓋部材
26…連通孔
27…減圧弁
28…オリフィス板
29…オリフィス
30…切替ハンドル
33…工具挿通部
34…設定流量表示手段
35…透明カバー
37…カバー部材
38…着脱用工具
Ｙ…カバー部材(37)の露出姿勢
【図１】
2005147174.tif 000003
【図２】
2005147174.tif 000004
【図３】
2005147174.tif 000005